(57)【要約】【課題】携帯移動電話装置の音声再生音を、毎回操作を行うことなく、適切に制御することを可能とする。【解決手段】位置情報にもとづき音制御を行う携帯移動電話装置１０であって、携帯移動電話装置の現在位置情報を取得するＧＰＳ受信部１４と、音声データを格納する記憶部（メモリカード１２）と、音声データを再生するにあたり、音声再生音の制御を開始する位置を示す開始位置情報と、音声再生音の制御を終了する位置を示す終了位置情報を記憶するメモリ部１９と、現在位置情報と開始位置情報にもとづいて、音声再生音の制御を開始するとともに、現在位置情報と終了位置情報にもとづいて、音声再生音の制御を終了する制御部１１とを有する携帯移動電話装置１０とする。【選択図】　　　図１
2004120437.tif 000002
【特許請求の範囲】
【請求項１】
位置情報にもとづき音制御を行う携帯移動電話装置であって、
前記携帯移動電話装置の現在位置情報を取得するＧＰＳ受信部と、
音声データを格納する記憶部と、
前記音声データを再生するにあたり、音声再生音の制御を開始する位置を示す開始位置情報と、音声再生音の制御を終了する位置を示す終了位置情報を記憶するメモリ部と、
前記現在位置情報と前記開始位置情報にもとづいて、前記音声再生音の制御を開始するとともに、前記現在位置情報と前記終了位置情報にもとづいて、前記音声再生音の制御を終了する制御部とを有する
ことを特徴とする携帯移動電話装置。
【請求項２】
請求項１記載の携帯移動電話装置において、
前記メモリ部が、前記音声再生音の制御を継続する継続時間情報を記憶し、
前記制御部が、前記音声再生音の制御を開始した後に、前記現在位置情報と前記終了位置情報にもとづいて、又は、前記継続時間情報にもとづいて、前記音声再生音の制御を終了する
ことを特徴とする携帯移動電話装置。
【請求項３】
請求項１又は２記載の携帯移動電話装置において、
前記メモリ部が、前記音声再生音の制御を行う予定時間帯情報を記憶し、
前記制御部が、前記予定時間帯情報、又は、前記現在位置情報と前記開始位置情報にもとづいて前記音声再生音の制御を開始した後に、前記予定時間帯情報、又は、前記現在位置情報と前記終了位置情報にもとづいて前記音声再生音の制御を終了する
ことを特徴とする携帯移動電話装置。
【請求項４】
請求項１〜３のいずれかに記載の携帯移動電話装置において、
前記メモリ部が、前記音声再生音の制御を行う制御時間帯情報を記憶し、
前記制御部が、この制御時間帯にのみ、前記位置情報にもとづく前記音声再生音の制御を行う
ことを特徴とする携帯移動電話装置。
【請求項５】
請求項１〜４のいずれかに記載の携帯移動電話装置において、
前記音声再生音の制御が、前記音声再生音量を制限する制御であることを特徴とする携帯移動電話装置。
【請求項６】
請求項１〜５のいずれかに記載の携帯移動電話装置において、
前記音声データを格納する記憶部が、前記携帯移動電話装置に対して着脱自在の記憶媒体であることを特徴とする携帯移動電話装置。
【請求項７】
請求項１〜６のいずれかに記載の携帯移動電話装置において、
前記音声データが、鑑賞用の音楽データであることを特徴とする携帯移動電話装置。
【請求項８】
位置情報にもとづく携帯移動電話装置の音声再生音制御方法であって、
音声データの音声再生音の制御を開始する位置を示す開始位置情報と、音声再生音の制御を終了する位置を示す終了位置情報を前記携帯移動電話装置に保有させ、
前記携帯移動電話装置が、前記携帯移動電話装置のＧＰＳ受信部により取得された現在位置情報と前記開始位置情報にもとづいて、前記音声再生音の制御を開始し、前記現在位置情報と前記終了位置情報にもとづいて、前記音声再生音の制御を終了する
ことを特徴とする携帯移動電話装置の音声再生音制御方法。
【請求項９】
請求項８記載の携帯移動電話装置の音声再生音制御方法において、
前記音声再生音の制御を行う継続時間情報を前記携帯移動電話装置に保有させ、
前記携帯移動電話装置が、前記音声再生音の制御を開始した後、前記現在位置情報と前記終了位置情報にもとづいて、又は、前記継続時間情報にもとづいて、前記音声再生音の制御を終了する
ことを特徴とする携帯移動電話装置の音声再生音制御方法。
【請求項１０】
位置情報にもとづいて、携帯移動電話装置に音声再生音制御を行わせる携帯移動電話装置の音声再生音制御プログラムであって、
前記携帯移動電話装置に、
ＧＰＳから前記携帯移動電話装置の現在位置情報を取得させ、
予め前記携帯移動電話装置に登録された開始位置情報と前記現在位置情報にもとづいて、音声データの音声再生音の制御を開始させ、
予め前記携帯移動電話装置に登録された終了位置情報と前記現在位置情報にもとづいて、前記音声再生音の制御を終了させる
ことを特徴とする携帯移動電話装置の音声再生音制御プログラム。
【請求項１１】
請求項１０記載の携帯移動電話装置の音声再生音制御プログラムにおいて、
前記携帯移動電話装置に、
前記音声再生音の制御の開始後、前記現在位置情報と前記終了位置情報にもとづいて、又は、予め前記携帯移動電話装置に登録された前記音声再生音の制御を継続させる継続時間情報にもとづいて、前記音声再生音の制御を終了させる
ことを特徴とする携帯移動電話装置の音声再生音制御プログラム。
【発明の詳細な説明】
【０００１】
【発明の属する技術分野】
本発明は、ＧＰＳ機能を搭載した携帯移動電話装置において、位置情報にもとづき音声再生音の制御を行う携帯移動電話装置、その音声再生音制御方法、及び音声再生音制御プログラムに関する。
【０００２】
【従来の技術】
近年、携帯移動電話装置が、広く一般に普及するとともに、その使用形態に対して、社会的な問題も発生している。例えば、電車やバスなどの公共交通機関において、通話を行うことにより、周囲に迷惑をかけるケースや、車内トラブルの原因となるケースが増大している。
また、医療機関において、携帯移動電話装置を使用すると、医療機器に悪影響が発生し、重大な問題に発展するおそれがあることも指摘されている。
このような問題を解決するために、所定の場所や状況によって、携帯移動電話装置の電源や着信音量等を制御する技術が提案されている（例えば、特許文献１参照。）。
また、携帯移動電話装置の着信通話状態を周囲の環境に合わせて制御する装置も提案されている（例えば、特許文献２参照。）。
【０００３】
ところで、携帯移動電話装置は、従来の通信装置としての使用のみならず、様々な機能が付加され、多様な利用を行い得るものとなってきている。
例えば、音楽再生機能を付加したもの、写真機能を付加したもの、ビデオ機能を付加したものなども登場している。
このような付加機能に関し、特に音楽再生機能を用いる場合は、その再生音量を自動的に制御することができれば大変便利である。
従来、音楽再生音量を制御するにあたっては、図７に示すような手順によって行われていた。
例えば、携帯移動電話装置において音楽再生の再生音量を制限する場合には（ステップ１００）、携帯移動電話装置の使用者は、音量制限操作を行って（ステップ１０１）、携帯移動電話装置の音量を制限する（ステップ１０２）。
また、再生音量の制限を解除するにあたり（ステップ１０３）、使用者は、音量制限解除操作を行って（ステップ１０４）、音量制限を解除していた（ステップ１０５）。
【０００４】
【特許文献１】
特開２００１−３３９７６１号公報
【特許文献２】
特開平１０−３４１４６４号公報
【０００５】
【発明が解決しようとする課題】
しかしなから、このような従来の方法によれば、携帯移動電話装置の使用者は、音楽再生音の制限又は解除を行うにあたり、毎回自らその操作を行わなければならないという問題があった。
また、音楽再生音制限を行う必要がある場所において、使用者がその操作を忘れてしまっていた場合には、周囲に迷惑をかけたり、トラブルの原因となったりすることがあった。
さらに、音楽再生音制限を解除してよい場所において解除し忘れ、後に解除する必要が生じることがあるなど、その取り扱いが煩雑であるという問題があった。
ここで、上述の従来技術においては、携帯移動電話装置を用いて音楽を鑑賞することや、ＴＶや講義などの録音を聞くことは考慮されておらず、携帯移動電話装置における音声再生に関し、上記問題を解決することはできなかった。
【０００６】
本発明は、上記の事情にかんがみなされたものであり、ＧＰＳ機能を搭載した携帯移動電話装置において、ＧＰＳ機能を用いて取得した位置情報とタイマーを設定することで、使用者が限定した場所と、限定した時間における音声再生音制御を行うことの可能な携帯移動電話装置、その音声再生音制御方法、及び音声再生音制御プログラムの提供を目的とする。
【０００７】
【課題を解決するための手段】
上記目的を達成するため、本発明の請求項１記載の携帯移動電話装置は、位置情報にもとづき音制御を行う携帯移動電話装置であって、携帯移動電話装置の現在位置情報を取得するＧＰＳ受信部と、音声データを格納する記憶部と、音声データを再生するにあたり、音声再生音の制御を開始する位置を示す開始位置情報と、音声再生音の制御を終了する位置を示す終了位置情報を記憶するメモリ部と、現在位置情報と開始位置情報にもとづいて、音声再生音の制御を開始するとともに、現在位置情報と終了位置情報にもとづいて、音声再生音の制御を終了する制御部とを有する構成としてある。
【０００８】
携帯移動電話装置をこのような構成にすれば、この携帯移動電話装置を用いて音声を聞く者（以下、単に使用者と称する場合がある。）は、これを聞く際の音を制御すべき場所（位置情報）を特定し、携帯移動電話装置に登録しておくことによって、以降その制御を自動的に行うことが可能となる。
これにより、使用する位置によって、自動的に音声再生音を制御することができる。
このため、例えば公共交通機関を利用する際に、周囲の人々の迷惑にならないように自動的に音量を制限することなどができ、また、その利用を終えた後に、再び自動的に音楽を鑑賞するための制御を行う必要がなくなる。
さらには、音声再生音制御を解除し忘れていたため、再び解除総操作が必要になるというような事態を回避することが可能となる。
【０００９】
特に、このような制御をＧＰＳから受信した位置情報にもとづいて行うことによって、より精度の高い制御を行うことが可能となる。
このとき音声再生音制御の開始は、ＧＰＳから取得した現在位置情報と、携帯移動電話装置に登録した開始位置情報が、完全に一致する場合のほか、所定の範囲内で一致する場合に、行うようにすることができる。制御の終了についても同様である。
【００１０】
なお、本発明の音声音の制御としては、例えば、音量を小さくすること、音量を大きくすること、重低音を強調すること、音質をクラッシックなど特定の音楽に適するものとすること等、様々なものとすることが可能である。
この音声としては、音楽のほか、例えば、講義の録音、ＴＶの録音など音声であればよく、特に限定されるものではない。
また、ＧＰＳ受信部が受信する情報は、厳密には現在位置を特定するための元となる情報であり、ＧＰＳ受信部が４機以上の人工衛星から受信した電波にもとづいて、制御部により現在位置情報が算出される。
しかし、煩雑な表現をさけるため、便宜上、「現在位置情報を取得するＧＰＳ受信部」という表現をとっている。
【００１１】
本発明の請求項２記載の携帯移動電話装置は、請求項１記載の携帯移動電話装置において、メモリ部が、音声再生音の制御を継続する継続時間情報を記憶し、制御部が、音声再生音の制御を開始した後に、現在位置情報と終了位置情報にもとづいて、又は、継続時間情報にもとづいて、音声再生音の制御を終了する構成としてある。
【００１２】
携帯移動電話装置をこのような構成にすれば、携帯移動電話装置の位置情報にもとづいて、自動的に音声再生音制御が開始した後、この携帯移動電話装置の位置が変化して、所定の位置に移動した場合に、その音声再生音制御を終了することができる。
さらに、音声再生音制御が開始した後、所定の時間だけ、その制御を行えばよい場合もある。また、音声再生音制御を終了すべき位置において、ＧＰＳから位置情報が正しく受信できない場合も想定される。このような場合を考慮して、制御の継続時間情報の設定を可能とし、音声再生音制御が開始した後、所定の時間の後に、音声再生音制御を終了することも可能となっている。
【００１３】
本発明の請求項３記載の携帯移動電話装置は、請求項１又は２記載の携帯移動電話装置において、メモリ部が、音声再生音の制御を行う予定時間帯情報を記憶し、制御部が、予定時間帯情報、又は、現在位置情報と開始位置情報にもとづいて音声再生音の制御を開始した後に、予定時間帯情報、又は、現在位置情報と終了位置情報にもとづいて音声再生音の制御を終了する構成としてある。
【００１４】
携帯移動電話装置をこのような構成にすれば、使用者は、位置情報と時間情報を組合わせて、音声再生音の制御を行うことが可能となる。
すなわち、ＧＰＳから受信した現在位置情報が、携帯移動電話装置に登録された開始位置情報と一致する場合（所定の範囲内で一致する場合を含む。以下において同様。）、又は、現在時間が所定時間に達した場合のいずれかによって、音声再生音の制御を開始することができる。
また、ＧＰＳから受信した現在位置情報が、携帯移動電話装置に登録された終了位置情報と一致する場合、又は、現在時間が所定時間に達した場合のいずれかによって、音声再生音の制御を終了することができる。
【００１５】
これによって、音声再生音制御をすべき状況を位置によって特定する方が適当な場合と、時間によって特定する方が適当な場合の両方に対応させることができ、使用者はより容易に携帯移動電話装置の音声再生音の制御を行うことが可能となる。
また、これら両方の条件によって、音声再生音制御をすべき状況を特定することにより、その制御の精度を一層向上させることも可能となる。
【００１６】
本発明の請求項４記載の携帯移動電話装置は、請求項１〜３のいずれかに記載の携帯移動電話装置において、メモリ部が、音声再生音の制御を行う制御時間帯情報を記憶し、制御部が、この制御時間帯にのみ、位置情報にもとづく音声再生音の制御を行う構成としてある。
【００１７】
携帯移動電話装置をこのような構成にすれば、音声再生音制御を行う時間帯を、所定の時間帯に制限した上で、ＧＰＳから受信した位置情報にもとづいて、音声再生音制御を行うことが可能となる。
このようにすることによって、所定の時間帯、例えば、１時〜３時は、音声再生音制御を行わないようにするなどという設定を行うことが可能となる。
また、「時間帯」は、日や月等の期間であってもよく、例えば、８月の一ヶ月間や、８月１日の１時〜３時などとすることも可能である。
【００１８】
本発明の請求項５記載の携帯移動電話装置は、請求項１〜４のいずれかに記載の携帯移動電話装置において、音声再生音の制御が、音声再生音量を制限する制御である構成としてある。
【００１９】
携帯移動電話装置をこのような構成にすれば、音声再生音制御の中でも、特にその音量を制限する制御を行うことが可能となる。
【００２０】
本発明の請求項６記載の携帯移動電話装置は、請求項１〜５のいずれかに記載の携帯移動電話装置において、音声データを格納する記憶部が、携帯移動電話装置に対して着脱自在の記憶媒体である構成としてある。
【００２１】
携帯移動電話装置をこのような構成にすれば、この携帯移動電話装置において再生する音声データを、記憶媒体に保有させたデータとすることができる。
この記憶媒体は、携帯移動電話装置に着脱自在のものであり、例えばメモリカードとすることができる。
【００２２】
本発明の請求項７記載の携帯移動電話装置は、請求項１〜６のいずれかに記載の携帯移動電話装置において、音声データが、鑑賞用の音楽データである構成としてある。
【００２３】
携帯移動電話装置をこのような構成にすれば、音声データの中でも特に音楽データに対して、その再生音の制御を行うことが可能となる。
【００２４】
本発明の請求項８記載の携帯移動電話装置の音声再生音制御方法は、位置情報にもとづく携帯移動電話装置の音声再生音制御方法であって、音声データの音声再生音の制御を開始する位置を示す開始位置情報と、音声再生音の制御を終了する位置を示す終了位置情報を携帯移動電話装置に保有させ、携帯移動電話装置が、携帯移動電話装置のＧＰＳ受信部により取得された現在位置情報と開始位置情報にもとづいて、音声再生音の制御を開始し、現在位置情報と終了位置情報にもとづいて、音声再生音の制御を終了する方法としてある。
【００２５】
携帯移動電話装置の音声再生音制御方法をこのような方法にすれば、使用者は、携帯移動電話装置に対し、毎日同じ操作を行うような場所について、あらかじめ携帯移動電話装置に登録しておくことにより、そのような煩雑な操作を行う必要から解放されることとなる。
これによって、例えば、自分の家においては通常の音量、公共交通機関においては小さな音量、野外においては大きな音量となるように自動的に制御することが可能となる。
また、自分の家においては通常の音量とし、騒音の大きい場所においてイヤホンを使用する場合に、その場所での音量を大きくなるように制御することも可能である。
【００２６】
本発明の請求項９記載の携帯移動電話装置の音声再生音制御方法は、請求項８記載の携帯移動電話装置の音声再生音制御方法において、音声再生音の制御を行う継続時間情報を携帯移動電話装置に保有させ、携帯移動電話装置が、音声再生音の制御を開始した後、現在位置情報と終了位置情報にもとづいて、又は、継続時間情報にもとづいて、音声再生音の制御を終了する方法としてある。
【００２７】
携帯移動電話装置の音声再生音制御方法をこのような方法にすれば、携帯移動電話装置に、その音声再生音制御の継続時間情報を登録することによって、音声再生音制御が開始した後、これを望みの時間経過後に終了することが可能となる。
また、例えば、電車の乗車駅の位置を開始位置情報に、下車駅の位置を終了位置情報に設定するとともに、乗車時間よりも少し長い時間を継続時間情報と登録しておくことによって、乗車とともに、音声再生音制御が開始された後、下車の際に、ＧＰＳから正しく位置情報が受信できなかった場合であっても、継続時間が終了すると、音声再生音制御を終了することができる。
このため、制御の解除し忘れなどを防止することができ、その使用上の利便性を向上させることが可能となる。
【００２８】
本発明の請求項１０記載の携帯移動電話装置の音声再生音制御プログラムは、位置情報にもとづいて、携帯移動電話装置に音声再生音制御を行わせる携帯移動電話装置の音声再生音制御プログラムであって、携帯移動電話装置に、ＧＰＳから携帯移動電話装置の現在位置情報を取得させ、予め携帯移動電話装置に登録された開始位置情報と現在位置情報にもとづいて、音声データの音声再生音の制御を開始させ、予め携帯移動電話装置に登録された終了位置情報と現在位置情報にもとづいて、音声再生音の制御を終了させる構成としてある。
【００２９】
携帯移動電話装置の音声再生音制御プログラムをこのような構成にすれば、携帯移動電話装置に所定の位置情報にもとづき音声再生音制御を行わせることが可能となるため、使用者は特別な操作を行うことなく、適切な音量で携帯移動電話装置から音声等を聴くことなどが可能となる。
【００３０】
本発明の請求項１１記載の携帯移動電話装置の音声再生音制御プログラムは、請求項１０記載の携帯移動電話装置の音声再生音制御プログラムにおいて、携帯移動電話装置に、音声再生音の制御の開始後、現在位置情報と終了位置情報にもとづいて、又は、予め携帯移動電話装置に登録された音声再生音の制御を継続させる継続時間情報にもとづいて、音声再生音の制御を終了させる構成としてある。
【００３１】
携帯移動電話装置の音声再生音制御プログラムをこのような構成にすれば、携帯移動電話装置に、位置情報のほか、継続時間情報にもとづいて、音声再生音制御を行わせることが可能となる。
【００３２】
【発明の実施の形態】
以下、本発明の実施形態につき、図面を参照して説明する。
［第一実施形態］
まず、本発明の第一実施形態について、図１及び図２を参照して説明する。図１は、本発明の第一実施形態の携帯移動電話装置の構成を示すブロック図である。また、図２は、同携帯移動電話装置の音声再生音制御における音制御設定画面の例を示す図である。
本実施形態における音声再生音制御は、音楽再生音量の制限制御であるとしている。
【００３３】
本実施形態の携帯移動電話装置１０は、携帯電話、ＰＨＳのほか、電話機能を有する携帯移動端末等とすることもできる。
この携帯移動電話装置１０は、制御部１１、メモリカード部１２、無線送受信部１３、ＧＰＳ受信部１４、表示部１５、操作部１６、受話部１７、送話部１８、及びメモリ部１９を有している。
制御部１１は、携帯移動電話装置１０における各装置の機能を制御する。すなわち、操作部１６から入力された情報にもとづいて、メモリ部１９に位置情報を設定することや、設定情報を表示部１５に表示すること等を行う。
メモリカード部１２は、携帯移動電話装置１０において再生される音楽データを格納する記憶装置である。
無線送受信部１３は、無線基地局との間に無線回線を構成し、無線基地局からの着信を検出する。使用者は、受話部１７及び送話部１８を用いて通話を行う。
ＧＰＳ受信部１４は、ＧＰＳ（Ｇｌｏｂａｌ　Ｐｏｓｉｔｉｏｎｉｎｇ　Ｓｙｓｔｅｍ）により、人工衛星から電波を受信する装置である。制御部１１は、受信した電波の位相を計算することによって、現在位置を測定することができる。
なお、ここでいうＧＰＳには、ＤＧＰＳ（Ｄｉｆｆｅｒｅｎｔｉａｌ　ＧＰＳ）も含まれる。
【００３４】
メモリ部１９は、携帯移動電話装置１０における記憶装置であり、開始位置情報登録部１９ａ及び終了位置情報登録部１９ｂを有している。
開始位置情報登録部１９ａは、音声再生音制御を開始する位置情報を記憶し、終了位置情報登録部１９ｂは、音声再生音制御を終了する位置情報を記憶する。
これらの位置情報は、使用者により操作部１６から入力され、制御部１１が、メモリ部１９に登録するようにすることができる。
【００３５】
このとき、音声再生音量の制限の開始及び終了条件の登録を行う場合には、例えば、図２に示すような音制御設定画面を制御部１１が表示部１５に表示させ、操作部１６から各位置情報の入力を受けて、メモリ部１９に登録するようにすることができる。
また、音声再生音量のほか、所定の音質などについての登録を行う場合は、同様の専用の画面を表示し、登録するようにすればよい。さらに、これらを組合わせて、音量と音質等を同時に登録するようにしてもよい。
また、この登録にあたり、図示しないが、設定の具体的内容についても登録するようにすることもできる。例えば、制限中における音量を設定するようにすることができる。
あるいは、この制限の具体的内容について登録するための入力項目、例えば、制御中及び非制御中のそれぞれの音量入力項目を備えた別個の専用画面を作成するようにし、この入力内容をメモリ部１９に記憶させて、携帯移動電話装置１０の音楽音量再生制御にあたり、その登録された音量に変更することもできる。
また、開始又は終了のそれぞれの位置において、ＧＰＳ受信部１４から位置情報を取得し、制御部１１がメモリ部１９に登録するようにすることも好ましい。
【００３６】
次に、本実施形態の携帯移動電話装置１０における処理手順について、図３のフローチャートを参照して説明する。
まず、使用者は、操作部１６のキー操作にて、音声再生音量制御を行う場所の位置情報を登録する（ステップ１０）。すなわち、操作部１６から入力された開始位置情報及び終了位置情報は、制御部１１によって、メモリ部１９の開始位置情報登録部１９ａ及び終了位置情報登録部１９ｂにそれぞれ格納される。
制御部１１は、ＧＰＳ受信部１４が取得した現在位置情報と、開始位置情報登録部１９ａに格納された音声再生音量制御を開始したい位置情報とを比較し（ステップ１１）、これらの位置情報が一致した時に（ステップ１２のＹｅｓ）、音声再生音量制御を開始する（ステップ１３）。すなわち、携帯移動電話装置１０の音量を、制限中の音量としてあらかじめ登録された音量に変更する。また、このとき必要に応じて、変更前の音量をメモリ部１９に記憶する。
位置情報が一致しない場合は（ステップ１２のＮｏ）、上記位置情報の比較を繰り返す。
この位置情報の比較は、例えば、ＧＰＳからの位置情報の取得を３０秒毎とし、その取得の度に行わせるようにすることができる。
【００３７】
また、同様にして、制御部１１は、ＧＰＳ受信部１４が取得した現在位置情報と、終了位置情報登録部１９ａに格納された音声再生音量制御を終了したい位置情報とを比較し（ステップ１４）、これらの位置情報が一致した時に（ステップ１５のＹｅｓ）、音声再生音量制御を終了する（ステップ１６）。すなわち、携帯移動電話装置１０の音量を、もとの音量、又は非制限中の音量としてあらかじめ登録された音量に変更する。一致しない場合は（ステップ１６のＮｏ）、上記位置情報の比較を繰り返す。
【００３８】
以上説明したように、本実施形態の携帯移動電話装置によれば、位置情報を用いて音声再生音量制限を制御することから、毎回使用者が手動操作によって音量の設定を行う必要がなくなる。
また、音声再生音量制限を必要とする場所において、その操作をし忘れたり、気づかなかったりしてしまうことや、音声再生音量制限を解除してもよい場所で再び操作が必要になるという状況を排除することが可能となる。
さらに、同様の方法によって、音声再生音量制限制御のみならず、その他の音量制御や音質の制御などにも適用することが可能となる。
【００３９】
［第二実施形態］
次に、本発明の第二実施形態について、図４及び図５を参照して説明する。図４は、本実施形態の携帯移動電話装置の構成を示すブロック図である。また、図５は、同携帯移動電話の音声再生音制御における音制限設定画面の例を示す図である。
本実施形態は、音声再生音制御を、位置情報のみならず、時間情報によっても行うことが可能な点で第一実施形態と異なる。
【００４０】
すなわち、図４に示すように、本実施形態の携帯移動電話装置１０におけるメモリ部１９は、第一実施形態における構成に加えて、タイマー登録部１９ｃを有している。
このタイマー登録部１９ｃは、音声再生音制御を継続する継続時間情報、音声再生音制御の開始時刻及び終了時刻を示す予定時間帯情報、又は音声再生音制御を行う制御時間帯情報を記憶する。また、これら時間に関する全ての情報を保有させることもできる。
本実施形態の制御部１１は、タイマーのカウントを行う。また、システム日付によって、又はＧＰＳ受信部１４から時間情報を受信することによって、時間情報を取得することもできる。
【００４１】
使用者は、例えば、音声再生音量の制限制御を行う場合であって、所定の継続時間による制限制御も併せて行う場合には、図５に示すような音制限設定画面を用いることができる。
同図において、開始位置情報及び終了位置情報は、第一実施形態における場合と同様に設定することができ、タイマー情報には、音声再生音量制限を行う継続時間情報を設定することができる。
この画面表示も制御部１１によって表示部１５に表示され、操作部１６からそれぞれの情報が入力されてメモリ部１９における対応する登録部に記憶される。
【００４２】
次に、本実施形態の携帯移動電話装置１０における処理手順について、図６のフローチャートを参照して説明する。
まず、使用者の操作部１６のキー操作にもとづいて、制御部１１は、音声再生音量制御を行う場所の位置情報、及びその継続時間情報であるタイマー情報
を、メモリ部１９に登録する（ステップ３０）。
すなわち、開始位置情報、終了位置情報、及びタイマー情報は、それぞれメモリ部１９における開始位置情報登録部１９ａ、終了位置情報登録部１９ｂ、及びタイマー登録部１９ｃに登録される。
【００４３】
次に、制御部１１は、ＧＰＳ受信部１４が取得した現在位置情報と、開始位置情報登録部１９ａに格納された音声再生音量制御を開始したい位置情報とを比較し（ステップ３１）、これらの位置情報が一致した時に（ステップ３２のＹｅｓ）、音声再生音量制限の設定を行う（ステップ３３）。一致しない場合は（ステップ３２のＮｏ）、上記位置情報の比較を繰り返す。
次に、制御部１１は、ＧＰＳ受信部１４が取得した現在位置情報と、終了位置情報登録部１９ａに格納された音声再生音量制御を終了したい位置情報とを比較する。また、制御部１１は、タイマー登録部１９ｃに設定された時間のタイマーが終了したかどうかを判断する（ステップ３４）。
あるいは、この時間の判断として、現在時間と、タイマー登録部１９ｃに格納された継続時間情報にもとづき制御部１１が算出した音声再生音量制御を終了したい時間情報とを比較して、所定の継続時間が終了したか否かを判断するようにしてもよい。
【００４４】
そして、現在位置情報と終了位置情報とが一致する場合は（ステップ３５のＹｅｓ）、音声再生音量制限を終了する（ステップ３７）。
現在位置情報と終了位置情報とが一致しない場合であって（ステップ３５のＮｏ）、かつ、現在時間が音声再生音量制御を終了したい時間に達している場合は（ステップ３６のＹｅｓ）、音声再生音量制限を終了する（ステップ３７）。
現在位置情報と終了位置情報とが一致しない場合であって（ステップ３５のＮｏ）、かつ、現在時間が音声再生音量制御を終了したい時間に達していない場合は（ステップ３６のＮｏ）、上記位置情報とタイマー情報のそれぞれの比較を繰り返す。
なお、上記タイマー情報として、予定終了時間を登録して制御するようにすることももちろん可能である。
また、ステップ３４〜ステップ３６における位置情報及びタイマー情報のそれぞれの確認についての順番は、適宜入れ替えてもよい。
【００４５】
さらに、タイマー登録部１９ｃに音声再生音量制御を行う予定時間帯情報を記憶させ、これにもとづいて、制御を行うことも好ましい。
その方法としては、ステップ３１の位置情報の比較において、予定時間帯情報における開始時間と現在時間の比較も行い、位置情報又は時間情報のいずれか一方が、音声再生音量制限を開始すべき条件となった場合に、音声再生音量制限を開始するようにすることができる。
また、同様に、ステップ３４において、時間帯情報における終了時間と現在時間の比較を行い、位置情報又は時間情報のいずれか一方が、音声再生音量制限を終了すべき条件となった場合に、音声再生音量制限を終了するようにすることができる。
【００４６】
この音声再生音量制限を開始すべき条件とは、位置情報については、現在位置情報と開始位置情報が一致するか、又は、一致したとみなすようにあらかじめ設定した所定の範囲にある場合とすることができる。また、時間情報については、現在時間が、タイマー情報として登録された予定時間帯情報における開始時間に達している場合とすることができる。
音声再生音量制御を終了すべき条件についても同様に、位置情報については、現在位置情報と終了位置情報が一致するか、又は、一致したとみなすようにあらかじめ設定した所定の範囲にある場合とすることができ、時間情報については、現在時間が、タイマー情報として登録された予定時間帯情報における終了時間に達している場合とすることができる。
【００４７】
加えて、タイマー登録部１９ｃに設定するタイマー情報として、音声再生音量制限を行う時間帯を制限するための制限時間帯情報を登録し、この時間情報にもとづき音声再生音量の制御を行うようにすることも可能である。
この場合は、ステップ３１において、現在時間と制限時間帯情報を比較し、現在時間が、制限時間内である場合にのみ、音声再生音量制御を開始するようにすることができる。
また、ステップ３４においても、現在時間と制限時間情報を比較して、現在時間が、制限時間外となった場合には、音声再生音量制御を終了するようにすることができる。
【００４８】
以上説明したように、本実施形態の携帯移動電話装置によれば、ＧＰＳ受信部１４が終了位置情報を取得することができなかった場合であっても、タイマーによって音声再生音量制限を終了することが可能となる。
このため、音声再生音量制限が終了されなくなるような状況を防止することが可能となる。
また、位置情報にもとづく音声再生音量制御と、時間情報にもとづく音声再生音量制御とを組合わせることにより、使用者にとって、一層設定のしやすい携帯移動電話装置とすることが可能となる。
【００４９】
上記の実施形態における位置情報の確認や、音声再生音量制御の開始・終了等は、携帯移動電話装置の音声再生音制御プログラムにより実行される。
この携帯移動電話装置の音声再生音制御プログラムは、携帯移動電話装置１０の制御部１１に、所定の処理、例えば、位置情報の確認処理や、音声再生音制御の開始・終了処理等を行わせる。
これによって、これらの処理は、音声再生音制御プログラムと携帯移動電話装置１０とが協働して実現される。
【００５０】
なお、音声再生音制御プログラムは、携帯移動電話装置１０のメモリやハードディスクに記憶させる他、コンピュータ読み取り可能な記憶媒体、たとえば、外部記憶装置及び可搬記憶媒体等に格納することができる。
外部記憶装置とは、磁気ディスク等の記憶媒体を内蔵し、例えば携帯移動電話装置１０などに外部接続される記憶増設装置をいう。一方、可搬記憶媒体とは、記憶媒体駆動装置（ドライブ装置）に装着でき、かつ、持ち運び可能な記憶媒体であって、たとえば、ＣＤ−ＲＯＭ、フレキシブルディスク、メモリカード、光磁気ディスク等をいう。
【００５１】
そして、記憶媒体に記憶されたプログラムは、携帯移動電話装置１０のメモリ１９などにロードされて、制御部１１により実行される。この実行により、上述した各実施形態の携帯移動電話装置１０の機能が実現される。
さらに、携帯移動電話装置の音声再生音制御プログラムをロードする場合、他の携帯移動電話装置やコンピュータに保有された携帯移動電話装置の音声再生音制御プログラムを、通信回線を利用して自己の有するメモリや外部記憶装置にダウンロードすることもできる。
このダウンロードされた携帯移動電話装置の音声再生音制御プログラムも、制御部１１により実行され、本発明における位置情報の確認処理や、音声再生音制御の開始・終了処理等を実現する。
【００５２】
なお、本発明は以上の実施形態に限定されるものではなく、本発明の範囲内において、種々の変更実施が可能であることは言うまでもない。
例えば、音声再生のみならず、通話における音声に対して適用し、所定の位置においては、小さな音量で再生したり、その音質を変更するなど適宜設計変更できるものである。
【００５３】
【発明の効果】
以上のように、本発明によれば、携帯移動電話装置は、位置情報を用いて音声再生音を制御することから、毎回使用者が手動操作によって設定を行う必要がなくなる。
このため、音声再生音制限を必要とする場所において、その操作をし忘れたり、気づかなかったりしてしまうことや、音声再生音量制限を解除してもよい場所で再び操作が必要になるという状況を排除することが可能となる。
【００５４】
また、位置情報による音声再生音制御と、タイマーによる制御を組合わせることによって、ＧＰＳから終了位置情報を取得することができなかった場合であっても、適切に音声再生音制限を終了することが可能となる。
このように、位置情報にもとづく音声再生音制御と、時間情報にもとづく音声再生音制御とを組合わせることによって、使用者は、自己の利用形態により適したきめ細かな音声再生音制御を行うことが可能となる。
【００５５】
加えて、携帯移動電話装置の音声再生音制御プログラムは、携帯移動電話装置の制御部へ所定の指令を送ることにより、この位置情報の確認機能や、音声再生音制御の開始・終了機能等を実現させることができる。
これによって、これらの機能等は、携帯移動電話装置の音声再生音制御プログラムと携帯移動電話装置とが協働して実現することが可能である。
【図面の簡単な説明】
【図１】本発明の第一実施形態の携帯移動電話装置の構成を示すブロック図である。
【図２】本発明の第一実施形態の携帯移動電話装置の音声再生音制御における音制御設定画面の例を示す図である。
【図３】本発明の第一実施形態の携帯移動電話装置の音声再生音制御の処理手順を示すフローチャートである。
【図４】本発明の第二実施形態の携帯移動電話装置の構成を示すブロック図である。
【図５】本発明の第二実施形態の携帯移動電話装置の音声再生音制御における音制御設定画面の例を示す図である。
【図６】本発明の第二実施形態の携帯移動電話装置の音声再生音制御の処理手順を示すフローチャートである。
【図７】従来の携帯移動電話装置の音声再生音制御の処理手順を示すフローチャートである。
【符号の説明】
１０　携帯移動電話装置
１１　制御部
１２　メモリカード部
１３　無線送受信部
１４　ＧＰＳ受信部
１５　表示部
１６　操作部
１７　受話部
１８　送話部
１９　メモリ部
１９ａ　開始位置情報登録部
１９ｂ　終了位置情報登録部
１９ｃ　タイマー登録部
【図１】
2004120437.tif 000003
【図２】
2004120437.tif 000004
【図３】
2004120437.tif 000005
【図４】
2004120437.tif 000006
【図５】
2004120437.tif 000007
【図６】
2004120437.tif 000008
【図７】
2004120437.tif 000009